(57)【要約】【課題】  手摺ブラケットを分割せずに容易に建材部に取り付けることができるようにする。【解決手段】  手摺ブラケット３０には建材部４０の取付面と略直行する方向に貫通する貫通孔３２ａが形成され、この貫通孔３２ａに嵌合する頭部１２を有した第１ネジ部材１０が上記貫通孔３２ａに嵌入された状態で建材部４０に螺挿されている。さらに上記第１ネジ部材１０の頭端部に上記貫通孔３２ａよりも大きなブラケット押え部２２を備えた第２ネジ部材２０が螺合されており、この第２ネジ部材２０のブラケット押え部２２によって手摺ブラケット３０が建材部４０に押え付けられて固定されている。【選択図】      図１
2005127126.tif 000002
【特許請求の範囲】
【請求項１】
手摺ブラケットを建材部に取り付ける構造であって、手摺ブラケットには建材部の取付面と略直行する方向に貫通する貫通孔が形成され、この貫通孔に嵌合する頭部を有した第１ネジ部材が上記貫通孔に嵌入された状態で建材部に螺挿されており、上記第１ネジ部材の頭端部には軸方向にネジ孔が形成され、そのネジ孔に上記貫通孔よりも大きなブラケット押え部を備えた第２ネジ部材が螺合され、この第２ネジ部材のブラケット押え部によって手摺ブラケットが建材部に押え付けられて固定されていることを特徴とする手摺ブラケットの取付構造。
【請求項２】
上記第１ネジ部材のネジ孔内には第１ネジ部材を建材部に螺挿する際に使用するドライバーの先端が係合可能な溝が形成され、第２ネジ部材は上記ブラケット押え部が頭端部となるフランジ形状をなしており、その中央部には上記ドライバーの先端が挿通可能な貫通孔が軸方向に形成されているとともに、軸方向端部となるブラケット押え部の一面には第２ネジ部材を第１ネジ部材のネジ孔に螺合する際に使用するドライバーの先端が係合可能な溝が形成されていることを特徴とする請求項１記載の手摺ブラケットの取付構造。
【請求項３】
上記手摺ブラケットの貫通孔に嵌め込み可能な形状を有し、その中央部に第１ネジ部材のネジ部の外径とほぼ一致する内径を有した貫通孔が形成されたスペーサーが、当該スペーサーの貫通穴に第１ネジ部材のネジ部が挿通された状態で、第１ネジ部材の頭部に押さえ込まれて建材部に埋め込まれていることを特徴とする請求項１または２記載の手摺ブラケットの取付構造。
【請求項４】
手摺ブラケットを建材部に取り付ける方法であって、
建材部の取付面と略直行する方向に貫通する貫通孔が形成された手摺ブラケットと、
手摺ブラケットの貫通孔に嵌合する頭部を備えかつ頭端部に軸方向にネジ孔が形成された第１ネジ部材と、
手摺ブラケットの貫通孔よりも大きなブラケット押え部を備えて第１ネジ部材のネジ孔に螺合する第２ネジ部材とを用いて、
第１ネジ部材のネジ孔に第２ネジ部材を螺合した状態で、手摺ブラケットの貫通孔から第１ネジ部材を建材部に螺挿することによって、第２ネジ部材のブラケット押え部で手摺ブラケットを建材部に押え付けて固定することを特徴とする手摺ブラケットの取付方法。
【請求項５】
上記第１ネジ部材のネジ孔内には第１ネジ部材を建材部に螺挿する際に使用するドライバーの先端が係合可能な溝が形成されており、
第２ネジ部材は上記ブラケット押え部が頭端部となるフランジ形状をなし、その中央部には上記ドライバーの先端が挿通可能な貫通孔が軸方向に形成されており、
手摺ブラケットの貫通孔から第１ネジ部材を建材部に螺挿する際には、第２ネジ部材の貫通孔を通じて第１ネジ部材のネジ孔内に形成された溝にドライバーの先端を係合させて第１ネジ部材を建材部に螺挿することを特徴とする請求項４記載の手摺ブラケットの取付方法。
【請求項６】
上記手摺ブラケットの貫通孔に嵌め込み可能な形状を有し、その中央部に上記第１ネジ部材のネジ部の外径とほぼ一致する内径を有した貫通孔が形成されたスペーサーを用いて、
手摺ブラケットの貫通孔から第１ネジ部材を建材部に螺挿する際には、上記スペーサーを手摺ブラケットの貫通孔に嵌め込んで、このスペーサーの貫通孔に第１ネジ部材のネジ部を挿通した状態で第１ネジ部材を建材部に螺挿し、第１ネジ部材の頭部でスペーサーを建材部に押し込んで埋め込むことを特徴とする請求項４または５記載の手摺ブラケットの取付方法。
【発明の詳細な説明】
【技術分野】
【０００１】
本発明は、手摺を建材部に固定するための手摺ブラケットの建材部への取付構造及び取付方法に関するものである。
【背景技術】
【０００２】
従来、手摺を建材部に固定するための手摺ブラケットとしては、建材部に固定されるベースと、ベースに固定されるブラケット本体とを備えた形式のものが知られている。例えば、特許文献１には、手摺ブラケットのベースを固定ネジで建材部に固定し、このベースを位置決め部材として利用するためにブラケット本体にベースと嵌合する嵌合部を形成し、その嵌合部をベースに嵌合させるとともに固定ネジでブラケット本体を建材部に固定する構造及び方法が開示されている。
【特許文献１】特許第３３４２４７３号公報
【発明の開示】
【発明が解決しようとする課題】
【０００３】
しかし、このように手摺ブラケットがベースとブラケット本体とに分割されていると、各々の部材を取り付ける作業が必要であり、またベースとブラケット本体とを嵌合させるための加工精度がそれぞれの部材に必要であるため、作業コスト及び部品コストが高くなる。
【０００４】
本発明は、このような事情に鑑み、手摺ブラケットを分割せずとも容易に建材部に取り付けることができるようにすることを目的とする。
【課題を解決するための手段】
【０００５】
請求項１に係る発明は、手摺ブラケットを建材部に取り付ける構造であって、手摺ブラケットには建材部の取付面と略直行する方向に貫通する貫通孔が形成され、この貫通孔に嵌合する頭部を有した第１ネジ部材が上記貫通孔に嵌入された状態で建材部に螺挿されており、上記第１ネジ部材の頭端部には軸方向にネジ孔が形成され、そのネジ孔に上記貫通孔よりも大きなブラケット押え部を備えた第２ネジ部材が螺合され、この第２ネジ部材のブラケット押え部によって手摺ブラケットが建材部に押え付けられて固定されていることを特徴とするものである。
【０００６】
請求項２に係る発明は、請求項１記載の手摺ブラケットの取付構造において、上記第１ネジ部材のネジ孔内には第１ネジ部材を建材部に螺挿する際に使用するドライバーの先端が係合可能な溝が形成され、第２ネジ部材は上記ブラケット押え部が頭端部となるフランジ形状をなしており、その中央部には上記ドライバーの先端が挿通可能な貫通孔が軸方向に形成されているとともに、軸方向端部となるブラケット押え部の一面には第２ネジ部材を第１ネジ部材のネジ孔に螺合する際に使用するドライバーの先端が係合可能な溝が形成されていることを特徴とするものである。
【０００７】
請求項３に係る発明は、請求項１または２記載の手摺ブラケットの取付構造において、上記手摺ブラケットの貫通孔に嵌め込み可能な形状を有し、その中央部に第１ネジ部材のネジ部の外径とほぼ一致する内径を有した貫通孔が形成されたスペーサーが、当該スペーサーの貫通穴に第１ネジ部材のネジ部が挿通された状態で、第１ネジ部材の頭部に押さえ込まれて建材部に埋め込まれていることを特徴とするものである。
【０００８】
請求項４に係る発明は、手摺ブラケットを建材部に取り付ける方法であって、建材部の取付面と略直行する方向に貫通する貫通孔が形成された手摺ブラケットと、手摺ブラケットの貫通孔に嵌合する頭部を備えかつ頭端部に軸方向にネジ孔が形成された第１ネジ部材と、手摺ブラケットの貫通孔よりも大きなブラケット押え部を備えて第１ネジ部材のネジ孔に螺合する第２ネジ部材とを用いて、第１ネジ部材のネジ孔に第２ネジ部材を螺合した状態で、手摺ブラケットの貫通孔から第１ネジ部材を建材部に螺挿することによって、第２ネジ部材のブラケット押え部で手摺ブラケットを建材部に押え付けて固定することを特徴とするものである。
【０００９】
請求項５に係る発明は、請求項４記載の手摺ブラケットの取付方法において、上記第１ネジ部材のネジ孔内には第１ネジ部材を建材部に螺挿する際に使用するドライバーの先端が係合可能な溝が形成されており、第２ネジ部材は上記ブラケット押え部が頭端部となるフランジ形状をなし、その中央部には上記ドライバーの先端が挿通可能な貫通孔が軸方向に形成されており、手摺ブラケットの貫通孔から第１ネジ部材を建材部に螺挿する際には、第２ネジ部材の貫通孔を通じて第１ネジ部材のネジ孔内に形成された溝にドライバーの先端を係合させて第１ネジ部材を建材部に螺挿することを特徴とするものである。
【００１０】
請求項６に係る発明は、請求項４または５記載の手摺ブラケットの取付方法において、上記手摺ブラケットの貫通孔に嵌め込み可能な形状を有し、その中央部に上記第１ネジ部材のネジ部の外径とほぼ一致する内径を有した貫通孔が形成されたスペーサーを用いて、手摺ブラケットの貫通孔から第１ネジ部材を建材部に螺挿する際には、上記スペーサーを手摺ブラケットの貫通孔に嵌め込んで、このスペーサーの貫通孔に第１ネジ部材のネジ部を挿通した状態で第１ネジ部材を建材部に螺挿し、第１ネジ部材の頭部でスペーサーを建材部に押し込んで埋め込むことを特徴とするものである。
【発明の効果】
【００１１】
請求項１に係る発明によれば、手摺ブラケットの貫通孔に嵌合する頭部を有した第１ネジ部材と、この第１ネジ部材の頭端部に形成されたネジ孔に螺合する第２ネジ部材とを用いて手摺ブラケットを建材部に固定するようにしているため、手摺ブラケットを建材部に固定するためのベースを必要とせず、ネジ部材のみで容易に建材部に取り付けることができる。
【００１２】
また、手摺ブラケットの取り外し時には第２ネジ部材を外すだけで手摺ブラケットを取り外すことができ、手摺ブラケットの取り付け時には手摺ブラケットの貫通孔を第１ネジ部材の頭部に嵌合させるだけで位置決めを行うことができる。よって、手摺ブラケットを容易に着脱することができ、手摺ブラケットのメンテナンス性を向上させることができる。
【００１３】
請求項２に係る発明によれば、第２ネジ部材の貫通孔を通じて第１ネジ部材を締め付けることが可能であるため、第１ネジ部材と第２ネジ部材とをそれぞれ異なったトルクで締め付けることが可能である。よって、第１ネジ部材のみをより強固に建材部に締め込むことができ、第２ネジ部材を緩めたときに第１ネジ部材もつられて緩むことを防止することができる。
【００１４】
請求項３に係る発明によれば、手摺ブラケットの貫通孔に嵌め込み可能な形状を有し、その中央部に第１ネジ部材のネジ部の外径とほぼ一致する内径を有した貫通孔が形成されたスペーサーが用いられているので、このスペーサーを手摺ブラケットの貫通孔に嵌め込んで、このスペーサーの貫通孔に第１ネジ部材のネジ部を挿通させることにより簡単に手摺ブラケットの貫通孔の中心に第１ネジ部材を位置させることができ、第１ネジ部材を建材部に螺挿する際の作業性を向上させることができる。
【００１５】
請求項４に係る発明によれば、従来のようにベースとブラケット本体をそれぞれネジ止めして建材部に固定することなく、一度のネジ止め作業で手摺ブラケットを建材部に取り付けることができ、しかも建材部と手摺ブラケットとの位置決めも行うことができる。
【００１６】
請求項５に係る発明によれば、請求項２同様、第１ネジ部材を第２ネジ部材の締め付けトルクと異なったトルクで締め付けることが可能である。
【００１７】
請求項６に係る発明によれば、請求項３同様、第１ネジ部材を建材部に螺挿する際の作業性を向上させることができる。また、スペーサーを建材部に埋め込むことにより、スペーサーを埋め込まない場合には手摺ブラケットを取り外した際にスペーサーの外周面と第１ネジ部材の頭部の外周面との間で段差ができて手摺ブラケットの着脱の際にその部分で引っ掛かる等の支障を来すおそれがあるが、そのような弊害を生じることなく手摺ブラケットの着脱をスムーズに行うことができる。
【発明を実施するための最良の形態】
【００１８】
本発明を実施するための最良の形態を図面に基づいて説明する。
【００１９】
図１は本発明の手摺ブラケットの取付構造を説明する分解断面図であり、手摺ブラケット３０は、石膏ボード等の建材部４０に第１ネジ部材１０と第２ネジ部材２０とで取り付けられている。
【００２０】
手摺ブラケット３０は、建材部４０に接する座部３２と、アーム部３４と、手摺が取り付けられる受け部３６とを備えている。そして、座部３２には、建材部４０の取付面と略直行する方向に貫通する貫通孔３２ａが形成されている。
【００２１】
第１ネジ部材１０は、上記貫通孔３２ａに嵌合する頭部１２と、ネジ部１３とを備えている。この頭部１２の高さ寸法は、上記座部３２のうち上記貫通孔３２ａが形成されている部分の厚さと同じか若干小さめの寸法になっており、上記ネジ部１３は、建材部４０に螺挿可能なように先端が先細りになっている。また、この第１ネジ部材１０の頭端部には、軸方向にネジ孔１４が形成されている。
【００２２】
第２ネジ部材２０は、上記貫通孔３２ａよりも大きな径を有したブラケット押え部２２と、上記第１ネジ部材１０のネジ孔１４に螺合されるネジ部２４と、ドライバーの先端を係合させるための溝が形成された頭部２６とを備え、ネジ部２４の一端側にブラケット押え部２２及び頭部２６が一体に形成されている。
【００２３】
そして、上記第１ネジ部材１０が建材部４０に螺挿され、第１ネジ部材１０の頭部１２に手摺ブラケット３０の貫通孔３２ａが嵌合されることによって、手摺ブラケット３０が建材部４０に対して位置決めされ、さらに第１ネジ部材１０のネジ孔１４に第２ネジ部材２０のネジ部２４が螺合されることによって、手摺ブラケット３０の座部３２が第２ネジ部材２０のブラケット押え部２２により建材部４０に押し付けられて固定されている。
【００２４】
このような取付構造を採用することにより、手摺ブラケット３０を建材部４０に固定するためのベースを必要とせず、ネジ部材のみで容易に建材部４０に取り付けることができる。
【００２５】
次にこのような手摺ブラケット３０を第１ネジ部材１０と第２ネジ部材２０とを用いて建材部４０に取り付ける方法を説明する。
【００２６】
まず第２ネジ部材２０を第１ネジ部材１０のネジ孔１４に螺合して、図２（ａ）に示すように、１本のネジ部材１０２０を形成する。このように１本のネジ部材１０２０を形成することによって、第１ネジ部材１０を建材部４０に螺挿する際には、第２ネジ部材の頭部２６に形成されたドライバーの先端を係合させるための溝２６ａを利用して第１ネジ部材１０を建材部４０に螺挿することができる。また、この溝２６ａは、第２ネジ部材２０を第１ネジ部材１０に螺合する際または第１ネジ部材１０から第２ネジ部材２０を緩めて外す際にも利用される。
【００２７】
次にこのネジ部材１０２０を手摺ブラケット３０の貫通孔３２ａに挿入し、第１ネジ部材１０の頭部１２を上記貫通孔３２ａに嵌入させる。この状態を保ったまま、第１ネジ部材１０のネジ部１３の先端を建材部４０に押し当て、第２ネジ部材２０を介して第１ネジ部材１０を回し、第１ネジ部材１０のネジ部１３を建材部４０に螺挿することによって、第２ネジ部材２０のブラケット押え部２２で手摺ブラケット３０の座部３２を建材部４０に押え付けて固定して、手摺ブラケット３０を建材部４０に取り付ける（図２（ｂ））。
【００２８】
このような取付方法を行うことにより、従来のようにベースとブラケット本体をそれぞれネジ止めして建材部に固定することなく、一度のネジ止め作業で手摺ブラケット３０を建材部４０に取り付けることができ、しかも第１ネジ部材１０の頭部１２と手摺ブラケット３０の貫通孔３２ａとは嵌合しているため、建材部４０と手摺ブラケット３０との位置決めも行うことができる。
【００２９】
また、上記ネジ部材１０２０は、建材部４０と手摺ブラケット３０の位置決めのための第１ネジ部材１０と、手摺ブラケット３０の固定のための第２ネジ部材２０とに分かれているため、図３に示すように、手摺ブラケット３０の取り外し時には第１ネジ部材１０のネジ孔１４に螺合されている第２ネジ部材２０を緩めて外すだけで手摺ブラケット３０を取り外すことができ、手摺ブラケット３０の取り付け時には手摺ブラケット３０の貫通孔３２ａを第１ネジ部材１０の頭部１２に嵌合させるだけで位置決めを行うことができる。よって、手摺ブラケット３０を容易に着脱することができ、手摺ブラケット３０のメンテナンス性を向上させることができる。
【００３０】
手摺ブラケット３０をネジ部材１０２０でネジ止めした後は、図４に示すように、そのネジ止め部を覆うようなカバー３８を手摺ブラケット３０の座部３２に取り付けると、美観を向上させることができる。
【００３１】
なお、第１ネジ部材１０を建材部４０へ螺挿する際に、図例のように第１ネジ部材１０が複数ある場合では、各第１ネジ部材１０の位置がずれてしまうと全ての第１ネジ部材１０の頭部１２を手摺ブラケット３０の貫通孔３２ａに嵌合させることができなくなる。そのため、上述した取付方法では、手摺ブラケット３０の貫通孔３２ａに第１ネジ部材１０の頭部１２を嵌入させた状態で第１ネジ部材１０を螺挿することにより各第１ネジ部材１０の位置ずれを防止したが、図５に示すようなスペーサー５０を用いることによっても各第１ネジ部材１０の位置ずれを防止することができる。
【００３２】
このスペーサー５０は、径方向の断面が三角形状に突出し、その突出した箇所が円周上に均等に配置された外周面５４を有し、この各頂点は手摺ブラケット３０の貫通孔３２ａとほぼ一致する径の円に内接するようになっていて、貫通孔３２ａに嵌め込み可能となっている。また、スペーサー５０の一端側の外周面５４はテーパー状に削られて、テーパー面５６が形成されている。
【００３３】
さらに、スペーサー５０の中央部には第１ネジ部材１０のネジ部１３の外径とほぼ一致する内径を有した貫通孔５２が形成されている。
【００３４】
このスペーサー５０は、各種金属の切削加工やダイカストによって得ることができる。
【００３５】
このスペーサー５０を用いる場合には、図６に示すように、手摺ブラケット３０の座部３２を建材部４０に当てた状態で、手摺ブラケット３０の貫通孔３２ａにスペーサー５０をテーパー面５６が建材部４０側を向く姿勢で嵌め込んで、このスペーサー５０の貫通孔５２に第１ネジ部材１０のネジ部１３を挿通させる。
【００３６】
そして、この状態で第２ネジ部材２０を介して第１ネジ部材１０を回し、第１ネジ部材１０を建材部４０に螺挿して、第１ネジ部材１０の頭部１２でスペーサー５０を建材部４０に押し込んで埋め込めばよい。スペーサー５０の建材部４０に埋め込まれる側の端部にはテーパー面５４が形成されているとともに、スペーサー５０の外周面５４は上述したように三角形状に突出しているので、スペーサー５０を建材部４０に埋め込むのに然程の力を要せずに行うことができる。
【００３７】
このようにすることにより、簡単に手摺ブラケット３０の貫通孔３２ａの中心に第１ネジ部材１０を位置させることができ、第１ネジ部材１０を建材部４０に螺挿する際の作業性を向上させることができる。
【００３８】
また、スペーサー５０を建材部４０に埋め込むことにより、スペーサー４０を埋め込まない場合には手摺ブラケット３０を取り外した際にスペーサー５０の外周面と第１ネジ部材１０の頭部１２の外周面との間で段差できて手摺ブラケット３０の着脱の際にその部分で引っ掛かる等の支障を来すおそれがあるが、そのような弊害を生じることなく手摺ブラケット３０の着脱をスムーズに行うことができる。
【００３９】
その他にも、予め建材部４０の第１ネジ部材１０を螺挿する位置に下孔を穿設しておき、手摺ブラケット３０の貫通孔３２ａから第１ネジ部材１０の先端をその下孔に入れて螺挿しても各第１ネジ部材１０の位置ずれを防止することができる。
【００４０】
次に本発明を実施するための別の形態を図７及び図８に基づいて説明する。上記実施の形態と同一構成部分には同一の符号を付し、その説明を省略する。
【００４１】
本形態では、図７に示すように、第１ネジ部材１０のネジ孔１４内に、第１ネジ部材１０を建材部４０に螺挿する際に使用するドライバーの先端が係合可能な溝１６が形成されている。
【００４２】
また、第２ネジ部材２０は、ブラケット押え部２２が頭端部となるフランジ形状をなしており、その中央部には上記ドライバーの先端が挿通可能な貫通孔２８が軸方向に形成されている。さらに軸方向端部となるブラケット押え部２２の一面には、図８に示すように、第２ネジ部材２０のネジ部２４を第１ネジ部材１０のネジ孔１４に螺合する際に使用するドライバーの先端が係合可能な溝２２ａが形成されている。
【００４３】
このような取付構造を採用することにより、第２ネジ部材２０の貫通孔２８を通じて第１ネジ部材１０を締め付けることが可能であるため、第１ネジ部材１０と第２ネジ部材２０とをそれぞれ異なったトルクで締め付けることが可能である。よって、第１ネジ部材１０のみをより強固に建材部４０に締め込むことができ、第２ネジ部材２０を緩めたときに第１ネジ部材１０もつられて緩むことを防止することができる。
【００４４】
このような手摺ブラケット３０を建材部４０に取り付ける方法としては、図８（ａ）に示すように、上記実施の形態と同様に第２ネジ部材２０を第１ネジ部材１０に螺合して１本のネジ部材１０２０を形成する。
【００４５】
次にこのネジ部材１０２０を手摺ブラケット３０の貫通孔３２ａに挿入し、第１ネジ部材１０の頭部１２を上記貫通孔３２ａに嵌入させる。この状態を保ったまま、第１ネジ部材１０のネジ部１３の先端を建材部４０に押し当て、上記第２ネジ部材２０の中央部に軸方向に形成された貫通孔２８を通じて上記第１ネジ部材１０のネジ孔１４内に形成された溝１６にドライバーの先端を係合させて上記第１ネジ部材１０を建材部４０に螺挿することによって、第２ネジ部材２０のブラケット押え部２２で手摺ブラケット３０の座部３２を建材部４０に押え付けて固定して、手摺ブラケット３０を建材部４０に取り付ける（図８（ｂ））。
【００４６】
このように、第１ネジ部材１０の建材部４０への螺挿の際に、第１ネジ部材１０に直接ドライバーを係合させて螺挿することにより、第１ネジ部材１０を第２ネジ部材２０の締め付けトルクと異なったトルクで締め付けることが可能である。
【００４７】
また、手摺ブラケット３０の取り外し時には、第２ネジ部材２０のブラケット押え部２２に形成された溝２２ａにドライバーの先端を係合させて第２ネジ部材２０を緩めて外すことができる。
【００４８】
この実施の形態においても、図５に示したようなスペーサー５０を用いることが可能である。
【００４９】
本発明にかかる手摺ブラケット３０は、さらに別の形態として、図９に示すように、内部を刳り抜いた形のアーム部３４の一端に座部３２が連設されていて、座部３２がアーム部３４の外形に対応した非円形状に形成されているようなものでもかまわない。
【図面の簡単な説明】
【００５０】
【図１】本発明の手摺ブラケットの取付構造を説明する分解断面図である。
【図２】本発明の手摺ブラケットの取付方法を説明する斜視図であり、（ａ）は取付前の状態を示し、（ｂ）は取付後の状態を示す。
【図３】本発明により取り付けられた手摺ブラケットの取外方法を説明する斜視図であり、（ａ）は第２ネジ部材を取り外した状態を示し、（ｂ）はさらに手摺ブラケットを取り外した状態を示す。
【図４】本発明の手摺ブラケットの取付構造にさらにカバーを追加した状態を示す斜視図である。
【図５】本発明に係るスペーサーを示す図であり、（ａ）は平面図、（ｂ）は正面図である。
【図６】本発明に係るスペーサーを用いた取付方法を説明する断面図であり、（ａ）は手摺ブラケットの貫通孔にスペーサーを嵌め込んだ状態を示し、（ｂ）は手摺ブラケットの取付後の状態を示す。
【図７】上記手摺ブラケットの取付構造と別の形態である手摺ブラケットの取付構造を説明する分解断面図である。
【図８】上記別の形態である手摺ブラケットの取付方法を説明する斜視図であり、（ａ）は取付前の状態を示し、（ｂ）は取付後の状態を示す。
【図９】本発明のさらに別の形態である手摺ブラケットの取付構造を説明する分解断面図である。
【符号の説明】
【００５１】
１０    第１ネジ部材
１２    頭部
１４    ネジ孔
２０    第２ネジ部材
２２    ブラケット押え部
３０    手摺ブラケット
３２ａ  貫通孔
４０    建材部
５０    スペーサー
５２    貫通孔
１０２０  ネジ部材
【図１】
2005127126.tif 000003
【図２】
2005127126.tif 000004
【図３】
2005127126.tif 000005
【図４】
2005127126.tif 000006
【図５】
2005127126.tif 000007
【図６】
2005127126.tif 000008
【図７】
2005127126.tif 000009
【図８】
2005127126.tif 000010
【図９】
2005127126.tif 000011